【手続補正書】
【提出日】平成27年6月8日(2015.6.8)
【手続補正１】
【補正対象書類名】特許請求の範囲
【補正対象項目名】全文
【補正方法】変更
【補正の内容】
【特許請求の範囲】
【請求項１】
表示部に複数の選択可能な項目を表示するように制御する表示制御手段と、
前記表示部に対するタッチ操作を受け付ける第１の操作受付手段と、
前記タッチ操作とは異なる操作を受け付ける第２の操作受付手段と、
前記複数の選択可能な項目のうち何れかの項目が前記第２の操作受付手段で受け付けた操作に応じて選択された場合には、前記第２の操作受付手段で受け付けた該操作があってから第１の期間が経過したことに応じて、選択された項目の関連情報を表示し、
前記複数の選択可能な項目のうち何れかの項目が前記第１の操作受付手段で受け付けたタッチ操作に応じて選択された場合には、前記第１の操作受付手段で受け付けた該タッチ操作があってから前記第１の期間が経過する前に、選択された項目の関連情報を表示するように制御する制御手段と
を有することを特徴とする表示制御装置。
【請求項２】
前記制御手段は、前記複数の選択可能な項目のうち何れかの項目が前記第１の操作受付手段で受け付けたタッチ操作に応じて選択された場合には、該タッチ操作によるタッチが離されてから、前記第１の期間より短い第２の期間が経過したことに応じて、選択された項目の関連情報を表示するように制御することを特徴とする請求項１に記載の表示制御装置。
【請求項３】
前記制御手段は、前記複数の選択可能な項目のうち何れかの項目が第１の操作部材に対する操作に応じて選択された場合には、該操作を受け付けてから前記第１の期間が経過したことに応じて、選択された項目の関連情報を表示し、
前記複数の選択可能な項目のうち何れかの項目が第２の操作部材に対する操作に応じて選択された場合には、該操作を受け付けてから前記第１の期間よりも短く前記第２の期間よりも長い第３の期間が経過したことに応じて、選択された項目の関連情報を表示するように制御することを特徴とする請求項２に記載の表示制御装置。
【請求項４】
前記制御手段は、前記タッチ操作によるタッチ中は前記関連情報を表示しないように制御することを特徴とする請求項１乃至３のいずれか１項に記載の表示制御装置。
【請求項５】
前記制御手段は、前記関連情報を表示している際に前記第２の操作受付手段で前記選択可能な項目のうち何れかの項目を選択する操作を受け付けると、該操作の受付に応じて前記関連情報を非表示とし、該操作を受け付けてから前記第１の期間が経過する前には前記関連情報を表示しないように制御することを特徴とする請求項１乃至４のいずれか１項に記載の表示制御装置。
【請求項６】
前記制御手段は、前記関連情報が、前記表示制御手段によって表示された前記複数の選択可能な項目に少なくとも一部が重畳して表示される場合に前記制御を行うことを特徴とする請求項１乃至５のいずれか１項に記載の表示制御装置。
【請求項７】
前記制御手段は、前記関連情報の表示が前記表示制御手段によって表示された前記複数の選択可能な項目に重畳されない場合には、前記第２の操作受付手段で受け付けた該操作があってから前記第１の期間が経過する前にも前記関連情報を表示するように制御することを特徴とする請求項６に記載の表示制御装置。
【請求項８】
前記関連情報は、前記選択された項目に関するガイド表示であることを特徴とする請求項１乃至７のいずれか１項に記載の表示制御装置。
【請求項９】
前記第２の操作受付手段は、押しボタンに対する操作を受け付け、
前記制御手段は、前記押しボタンに対する操作回数に応じて選択される項目を順次切り替えるように制御することを特徴とする請求項１乃至８のいずれか１項に記載の表示制御装置。
【請求項１０】
前記第２の操作受付手段は、回転操作部材に対する操作を受け付け、
前記制御手段は、前記回転操作部材の回転量に応じて選択される項目を順次切り替えるように制御することを特徴とする請求項１乃至９のいずれか１項に記載の表示制御装置。
【請求項１１】
前記表示制御手段は、複数の選択可能な項目として複数の画像を前記表示部に表示し、前記制御手段は、前記関連情報として前記複数の画像のうちの選択された画像の拡大画像を表示するように制御することを特徴とする請求項１乃至１０の何れか１項に記載の表示制御装置。
【請求項１２】
撮像手段を更に有し、
前記表示制御手段は、複数の選択可能な項目として前記撮像手段での撮像に関する特定の設定項目に関する複数の設定値候補を表示し、
前記制御手段は、前記関連情報として前記複数の設定値候補のうちの選択された設定値候補に関するガイドを表示するように制御することを特徴とする請求項１乃至１１の何れか１項に記載の表示制御装置。
【請求項１３】
前記特定の設定項目はホワイトバランスであることを特徴とする請求項１２に記載の表示制御装置。
【請求項１４】
表示部に複数の選択可能な画像を表示するように制御する表示制御手段と、
前記表示部に対するタッチ操作を受け付ける第１の操作受付手段と、
前記タッチ操作とは異なる操作を受け付ける第２の操作受付手段と、
前記複数の選択可能な画像のうち何れかの画像が前記第２の操作受付手段で受け付けた操作に応じて選択された場合には、前記第２の操作受付手段で受け付けた該操作があってから第１の期間が経過したことに応じて、選択された画像を拡大した画像を表示し、
前記複数の選択可能な画像のうち何れかの画像が前記第１の操作受付手段で受け付けたタッチ操作に応じて選択された場合には、前記第１の操作受付手段で受け付けた該タッチ操作があってから前記第１の期間が経過する前に、選択された画像の拡大画像を表示するように制御する制御手段と
を有することを特徴とする表示制御装置。
【請求項１５】
表示部に複数の選択可能な項目を所定の順番で表示するように制御する表示制御手段と、
前記表示部に表示されている複数の選択可能な項目のうちの一つを選択するための操作であり、操作を開始してから終了するまでの一回の操作により選択可能な項目が、前記所定の順番により制限されない操作である、第１の操作を受け付ける第１の操作受付手段と、
前記表示部に表示されている複数の選択可能な項目のうちの一つを選択するための操作であり、操作を開始してから終了するまでの一回の操作により選択可能な項目が、前記所定の順番により制限される操作である、第２の操作を受け付ける第２の操作受付手段と、
前記複数の選択可能な項目のうち何れかの項目が前記第２の操作受付手段で受け付けた操作に応じて選択された場合には、前記第２の操作受付手段で受け付けた該操作があってから第１の期間が経過したことに応じて、選択された項目の関連情報を表示し、
前記複数の選択可能な項目のうち何れかの項目が前記第１の操作受付手段で受け付けた操作に応じて選択された場合には、前記第１の操作受付手段で受け付けた該操作があってから前記第１の期間が経過する前に、選択された項目の関連情報を表示するように制御する制御手段と
を有することを特徴とする表示制御装置。
【請求項１６】
表示部に複数の選択可能な項目を表示するように制御する表示制御ステップと、
前記表示部に対するタッチ操作を受け付ける第１の操作受付ステップと、
前記タッチ操作とは異なる操作を受け付ける第２の操作受付ステップと、
前記複数の選択可能な項目のうち何れかの項目が前記第２の操作受付ステップで受け付けた操作に応じて選択された場合には、前記第２の操作受付ステップで受け付けた該操作があってから第１の期間が経過したことに応じて、選択された項目の関連情報を表示し、前記複数の選択可能な項目のうち何れかの項目が前記第１の操作受付ステップで受け付けたタッチ操作に応じて選択された場合には、前記第１の操作受付ステップで受け付けた該タッチ操作があってから前記第１の期間が経過する前に、選択された項目の関連情報を表示するように制御する制御ステップと
を有することを特徴とする表示制御装置の制御方法。
【請求項１７】
表示部に複数の選択可能な画像を表示するように制御する表示制御ステップと、
前記表示部に対するタッチ操作を受け付ける第１の操作受付ステップと、
前記タッチ操作とは異なる操作を受け付ける第２の操作受付ステップと、
前記複数の選択可能な画像のうち何れかの画像が前記第２の操作受付ステップで受け付けた操作に応じて選択された場合には、前記第２の操作受付ステップで受け付けた該操作があってから第１の期間が経過したことに応じて、選択された画像を拡大した画像を表示し、
前記複数の選択可能な画像のうち何れかの画像が前記第１の操作受付ステップで受け付けたタッチ操作に応じて選択された場合には、前記第１の操作受付ステップで受け付けた該タッチ操作があってから前記第１の期間が経過する前に、選択された画像の拡大画像を表示するように制御する制御ステップと
を有することを特徴とする表示制御装置の制御方法。
【請求項１８】
表示部に複数の選択可能な項目を所定の順番で表示するように制御する表示制御ステップと、
前記表示部に表示されている複数の選択可能な項目のうちの一つを選択するための操作であり、操作を開始してから終了するまでの一回の操作により選択可能な項目が、前記所定の順番により制限されない操作である、第１の操作を受け付ける第１の操作受付ステップと、
前記表示部に表示されている複数の選択可能な項目のうちの一つを選択するための操作であり、操作を開始してから終了するまでの一回の操作により選択可能な項目が、前記所定の順番により制限される操作である、第２の操作を受け付ける第２の操作受付ステップと、
前記複数の選択可能な項目のうち何れかの項目が前記第２の操作受付ステップで受け付けた操作に応じて選択された場合には、前記第２の操作受付ステップで受け付けた該操作があってから第１の期間が経過したことに応じて、選択された項目の関連情報を表示し、
前記複数の選択可能な項目のうち何れかの項目が前記第１の操作受付ステップで受け付けた操作に応じて選択された場合には、前記第１の操作受付ステップで受け付けた該操作があってから前記第１の期間が経過する前に、選択された項目の関連情報を表示するように制御する制御ステップと
を有することを特徴とする表示制御装置の制御方法。
【請求項１９】
コンピュータを、請求項１乃至１５のいずれか１項に記載された表示制御装置の各手段として機能させるプログラム。
【請求項２０】
コンピュータを、請求項１乃至１５のいずれか１項に記載された表示制御装置の各手段として機能させるプログラムを格納したコンピュータが読み取り可能な記憶媒体。